(57)【要約】  【課題】  印刷装置において、部品点数を増やすことなく、容易なユーザインターフェースにて、部品交換後に必要となるメカ調整漏れや不揮発性記憶装置に記憶している設定値の再設定漏れを防ぐ方法を有する印刷装置を提供することである。【解決手段】  操作パネルからの情報を受信する手段、交換部品情報データ記録部、受信した交換部品情報を一覧表にして印刷する手段、調整内容データ記録部、交換部品情報から調整内容データを印刷する手段用いて、部品交換後に交換部品名または交換部品コードを操作パネルから印刷装置に入力し、再調整や再設定が必要かどうかを印刷装置内で判定し、調整及び点検項目を印刷する。これにより作業者に調整内容の有無及び方法を通知し、作業者の調整漏れや設定漏れなどの人為的ミスを無くし、部品交換後の印刷品質低下を防ぐことが出来る。【選択図】  図１
2008213264.tif 000002
【特許請求の範囲】
【請求項１】
印刷を実行する印刷機構部と、印刷機構部を制御すると共に、該印刷機構部の制御情報等を記憶する不揮発性記憶素子を備えた印刷制御部と、用紙を搬送する紙送り部と、オペレータが印刷装置に対して情報を入力する操作パネルを有する印刷装置において、
前記印刷制御部に、交換部品情報データ記録部と、入力された交換部品情報のリストを作成する手段と、入力された交換部品情報のリストを印刷制御部で印刷させる手段と、交換部品に対する調整内容データ記録部と、交換部品情報から調整及び点検内容のリストを作成する手段と、調整及び点検内容のリストを印刷制御部で印刷させる手段とを備えたことを特徴とする印刷装置。
【請求項２】
請求項１記載の印刷装置において、
交換部品を交換し、
交換した部品情報を操作パネルより入力し、
入力された部品情報について、入力された交換部品情報のリストを作成し、該交換した部品のリストを印刷し、
交換部品リストにリストアップされた情報に基づき、調整及び点検内容のリストを作成し、該調整及び点検内容のリストを印刷し、
当該印刷リストに基づき保守点検を実施することを特徴とする印刷装置の保守方法。
【請求項３】
請求項１記載の印刷装置において、
交換部品を交換し、
交換した部品情報を操作パネルより入力し、
入力された部品情報について、入力された交換部品情報のリストを作成し、該交換した部品のリストを格納し、
交換部品リストにリストアップされた情報に基づき、調整及び点検内容のリストを作成し、該調整及び点検内容のリストを格納し、
前記格納した交換した部品のリスト及び調整及び点検内容のリストを印刷し、
当該印刷リストに基づき保守点検を実施することを特徴とする印刷装置の保守方法。
【発明の詳細な説明】
【技術分野】
【０００１】
本発明は、印刷装置及びその保守方法に関するものである。
【背景技術】
【０００２】
印刷装置内の部品が故障した場合に故障部品のみを交換する場合が多い。この場合、交換した部品によっては印刷品質に影響が発生することが有り、そのため、部品を交換した際は再度メカ調整を行なったり、制御機構部内の不揮発性記憶素子で記憶している各種調整値の再設定を行ったりする必要がある。
【０００３】
通常、部品の交換は、交換方法や交換後の確認項目を記載したマニュアルを参照して行なっているが、保守員の知識不足や見落としなどにより、再調整に多大な時間を要したり、再調整を実施しないまま印刷を行い、印刷品質や印刷位置の精度を落としたりする場合があった。
【０００４】
従来、部品交換時には、消耗品の使用状況や交換ユニットの寿命を目的として交換ユニットに不揮発性メモリを取り付け、交換ユニット個々に製造日や使用量などの情報や交換ユニット内の形状誤差、取り付け位置誤差やモータの個体差などの情報を記録し、高品質な印刷結果を得るための情報を印刷装置本体の制御部に反映させる方法が知られている。（例えば、特許文献１参照）
【特許文献１】特開２００２−２６８４７８号公報
【発明の開示】
【発明が解決しようとする課題】
【０００５】
しかし、特許文献１に記載されている構成では、消耗品などのユニット単位で交換できる場合には有効であるが、センサ単体の故障や制御基板本体の故障等の一部品のみの交換の場合には適していない。すなわち、部品単体での交換をサポートするものではない。また、センサ一つの故障であるのにもかかわらずユニット単位で交換するのではコスト高になってしまうという問題がある。
【０００６】
以上を踏まえ、本発明は、部品点数を増やすことなく、容易なユーザインターフェースにて、部品交換後に必要となるメカ調整漏れや不揮発性記憶装置に記憶している設定値の再設定漏れを防ぐための手段を有する印刷装置を提供することを課題とする。
【課題を解決するための手段】
【０００７】
上記課題を解決するための本発明の第１の手段は、印刷を実行する印刷機構部と、印刷機構部を制御すると共に、該印刷機構部の制御情報等を記憶する不揮発性記憶素子を備えた印刷制御部と、用紙を搬送する紙送り部と、オペレータが印刷装置に対して情報を入力する操作パネルを有する印刷装置において、前記印刷制御部に、交換部品情報データ記録部と、入力された交換部品情報のリストを作成する手段と、入力された交換部品情報のリストを印刷制御部で印刷させる手段と、交換部品に対する調整内容データ記録部と、交換部品情報から調整及び点検内容のリストを作成する手段と、調整及び点検内容のリストを印刷制御部で印刷させる手段とを備えたことを特徴とする。
【０００８】
上記課題を解決するための本発明の第２の手段は、請求項１記載の印刷装置の保守方法であって、交換部品を交換し、交換した部品情報を操作パネルより入力し、入力された部品情報について、入力された交換部品情報のリストを作成し、該交換した部品のリストを印刷し、交換部品リストにリストアップされた情報に基づき、調整及び点検内容のリストを作成し、該調整及び点検内容のリストを印刷し、当該印刷リストに基づき保守点検を実施することを特徴とする。
【０００９】
上記課題を解決するための本発明の第３の手段は、請求項１記載の印刷装置の保守方法であって、  交換部品を交換し、交換した部品情報を操作パネルより入力し、入力された部品情報について、入力された交換部品情報のリストを作成し、該交換した部品のリストを格納し、交換部品リストにリストアップされた情報に基づき、調整及び点検内容のリストを作成し、該調整及び点検内容のリストを格納し、前記格納した交換した部品のリスト及び調整及び点検内容のリストを印刷し、当該印刷リストに基づき保守点検を実施することを特徴とする。
【発明の効果】
【００１０】
本発明の印刷装置及び保守方法によれば、交換した部品に対して必要な調整や点検項目のリストを印刷し、作業者に通知することが出来る。作業者は印刷された調整及び点検を行なうことにより、調整漏れや設定漏れなどの人為的ミスを無くし、部品交換後の印刷品質低下を防ぐことが出来るとともに、部品ごとにマニュアルを参照していた時間を短縮することが出来る。すなわち、印刷装置の部品交換後の調整漏れや設定漏れなどの人為的ミスを無くすという目的を、部品点数を増やすことなく、容易なユーザインターフェースにて交換した部品コードを印刷装置に入力することにより実現することが出来る。
【発明を実施するための最良の形態】
【００１１】
以下、本発明の一例について図面を参照して説明する。
【００１２】
図１は、印刷装置としてドットラインプリンタを例とした場合のブロック図であり、図５はドットラインプリンタの概略を示す平面図である。
【００１３】
板バネの先端にハンマピンを取り付けた構成となっている印刷ハンマ１２６は、桁方向に所定のピッチで多数配列されている。また、図示していないが、印刷ハンマ１２６は桁方向と直行する方向に１ドットずつずらしてｎドット行が同時に印刷できるように配されている。この印刷ハンマ１２６はハンマ部１１３に搭載されている。
【００１４】
各印刷ハンマ１２６の打撃力を受けるプラテン１２７は、印刷用紙１２０およびインクリボン１２１を介してハンマ部１１３と対向するように所定のギャップを設けて配置されている。
【００１５】
インクを含浸したエンドレス状のインクリボン１２１の大部分はリボンカセット１２２に収容されており、リボンブレーキ１２４によって予め張力を与えられたインクリボン１２１は、複数本のリボンガイド１２５を経由してリボンモータ１１８に接続されたリボンドライブローラ１１９によって巻き取られ、再びリボンカセット１２２に戻る機構になっている。１２３はインクリボンの表裏反転機構である。
【００１６】
ハンマ部１１３はシャトル機構部１１２に連結され、シャトル機構部の駆動力で以って往復移動するように構成されている。
【００１７】
以上の構成により、ハンマ部１１３をシャトル機構部１１２により桁方向に往復運動させ、この往復移動の過程で板バネに予め持たせた撓みエネルギーを開放することで印刷ハンマ１２６を駆動し、インクリボン１２１を介して印刷用紙１２０にドット印刷を行う。
【００１８】
また、図１に示すように、印刷機構部１１１、紙送り部１１４及びリボン機構部１１７は印刷制御部１０２からの指令によって制御されるように構成されている。また、印刷制御部１０２には操作パネル１０１が接続されている。
【００１９】
更に、印刷制御部１０２には通常の制御手段（図示せず）以外に、交換部品情報データ記録部１０３、入力された交換部品情報のリストを作成する手段１０４、入力された交換部品情報のリストを印刷制御部で印刷させる手段１０５、調整内容データ記録部１０６、交換部品情報から調整及び点検内容のリストを作成する手段１０７、調整及び点検内容のリストを印刷制御部で印刷させる手段１０８、不揮発性記憶素子１０９、フェージング調整値記憶部１１０を有している。
【００２０】
更に、図１に示すように、印刷機構部１１１としては、シャトル機構部１１２、ハンマ部１１３等で構成され、紙送り部１１４はタイミングベルト１１５、用紙センサ１１６、等で構成され、リボン機構部１１７はリボンモータ１１８、リボンセンサ１１９等で構成されている。
【００２１】
また、交換部品情報データ記録部１０３は部品コード、部品名、調整・点検項目等が記録されており、調整内容データ記録部１０６には調整項目、調整方法や点検内容等が記録されている。
【００２２】
次に、本発明の保守方法について、図２を用いて説明する。図２では、一例として、制御基板とシャトル機構部を交換した場合の具体的な動作について説明する。
【００２３】
本発明の保守方法では、まず、印刷の不具合やアラーム等によって通知された部品交換の指令に基づき、交換する必要のある部品を全て交換するところから開始する。
【００２４】
（Ｓ２０１）
操作パネル１０１から交換した部品コード（本例では制御基板）を操作パネルより入力する。
【００２５】
（Ｓ２０２）
入力された部品情報（制御基板）について、入力された交換部品情報のリストを作成する手段１０４によって、交換部品情報データ記録部１０３に記録されている制御基板データを交換部品リストに追加する。
【００２６】
（Ｓ２０３）
本例では、制御基板以外にシャトル機構部も交換したため、再度、部品コード入力（Ｓ２０１）を行い、同様にシャトル機構部データを交換部品リストに追加（Ｓ２０２）する。
【００２７】
（Ｓ２０４）
交換した部品について全ての入力が終了すると、入力された交換部品情報のリストを印刷制御部で印刷させる手段１０５によって、交換した部品のリストが印刷される。
【００２８】
（Ｓ２０５〜Ｓ２０９）
交換部品リストにリストアップされた情報と調整内容データ記録部１０６の調整内容データを用いて、交換部品情報から調整及び点検内容のリストを作成する手段１０７にて調整及び点検内容リストを作成する。例えば、ハンマギャップの調整の要否やフェージング調整の要否等、各調整項目について確認し、部品交換に伴って調整が必要なものについてのみを点検内容リストに挙げる。
【００２９】
（Ｓ２１０）
調整及び点検内容のリストを印刷制御部で印刷させる手段１０８にて、調整及び点検内容リストを印刷する。
【００３０】
以上の流れによって作成、印刷された交換部品リストの例を図３に、調整及び点検内容リストの例を図４に示す。
【００３１】
図３の交換部品名リストは、図２のフローのＳ２０１において交換部品コード３０２を入力すると、その交換部品に対応する交換部品名３０３、調整及び点検項目３０４、備考３０５が併せて印刷されるようになっている。
【００３２】
また、図４の調整及び点検内容リスト３０６は、部品交換に伴う再調整、点検内容をリスト化したもので、調整及び点検項目欄３０７、調整及び点検内容欄３０８、実施確認欄３０９が印刷される。
【００３３】
以上の流れに基づき作成された部品情報の交換部品名リスト３０１について、保守員等の作業者は確認し、交換部品に漏れが無ければ、印刷された調整及び点検内容リスト３０６に従ってメカ調整及び設定、印刷品質確認を行なう。また、調整及び点検が終了するごとに実施確認欄３０９に実施済みチェックを行なうことにより、調整漏れをすることなく部品交換後の印刷品質低下を防ぐことが出来る。更に、「フェージング調整」と「印刷品質点検」のように制御基板交換とハンマ機構部交換の両方に含まれる調整・確認内容も一回の確認で実施出来、従来の行なっていたような部品毎にマニュアルを参照して調整が必要かどうかの判断をする必要が無いため作業効率が良い。
【００３４】
なお、本例ではドットラインプリンタを一例として説明を行ったが、インクジェットプリンタや、レーザービームプリンタにおいても同様の保守を行うことにより、本発明の効果を得ることが可能となる。
【００３５】
また、本例では、「交換部品名リスト」と「調整及び点検内容リスト」とを個別に印刷するように制御しているが、印刷リストを格納するメモリに「交換部品名リスト」と「調整及び点検内容リスト」を格納した上で、両方のリストを一括して印刷してもよい。
【図面の簡単な説明】
【００３６】
【図１】本発明の印刷装置としてドットラインプリンタを例とした場合のブロック図。
【図２】本発明の一例となる部品交換時の保守方法の具体的な動作を示すフローチャート。
【図３】本発明で出力された交換部品名リストの印刷結果の一例。
【図４】本発明で出力された調整及び点検内容リストの印刷結果の一例。
【図５】ドットラインプリンタの概略を示す平面図。
【符号の説明】
【００３７】
１０１  操作パネル
１０２  印刷制御部
１０３  交換部品情報データ記録部
１０４  入力された交換部品情報のリストを作成する手段
１０５  入力された交換部品情報のリストを印刷制御部で印刷させる手段
１０６  調整内容データ記録部
１０７  交換部品情報から調整及び点検内容のリストを作成する手段
１０８  調整及び点検内容のリストを印刷制御部で印刷させる手段
１０９  不揮発性記憶素子
１１０  フェージング調整値記憶部
１１１  印刷機構部
１１２  シャトル機構部
１１３  ハンマ部
１１４  紙送り部
１１５  タイミングベルト
１１６  用紙センサ
１１７  リボン機構部
１１８  リボンモータ
１１９  リボンセンサ
【図１】
2008213264.tif 000003
【図２】
2008213264.tif 000004
【図３】
2008213264.tif 000005
【図４】
2008213264.tif 000006
【図５】
2008213264.tif 000007